(57)【特許請求の範囲】
【請求項１】
被検者の体温を測定するために温度測定部を有するＩＣタグを備え口中に含むようにタブレット状に形成した測温部と、
口中に挿入後、所定時間後に測定部で測定された体温情報を読取るＩＣタグ読み取り部と、
体温の測定に付随する各種情報を入力する入力部と、
前記体温測定部による測定値を記憶する記憶部と、
前記記憶部により記憶されている測定値や、前記測定値及び各種情報から算出される排卵予定日，生理予定日，出産予定日等の予定日を表示するとともに、前記入力部により各種情報が入力されている場合にはどの各種情報が入力されているかを示し、各種情報あるいは予定日が表示されている場合にはどの情報あるいは予定日が表示されているかを示す表示部と、ＩＣタグ読み取り部と、を備える婦人用体温測定装置であって、
前記ＩＣタグは、コンピュータで読取り可能な記憶媒体であるＲＡＭ、ＥＥＰＲＯＭ、温度変化に対してほぼリニアにアナログ出力し、小型化・ＩＣタグとの一体化が可能で、３５〜４２℃の間で温度分解能が０．０５℃であるＣ―ＭＯＳ温度センサを備え、
１３．５６ＭＨｚの電磁波により前記ＩＣタグ読み取り部から前記被検者の体温情報を取得し、前記表示部に表示するようにし、
前記被検者の体温は、閾値である上限値を３７．０℃、閾値である下限値を３５．５℃とし、
前記上限値及び前記下限値は設定変更可能とし、
異常と判断されるとアラームを発生するようにしたことを特徴とする婦人用体温測定装置。
【発明の詳細な説明】
【技術分野】
【０００１】
本発明は、婦人用の体温測定用装置に関し、特に、体温測定部と本体部が分離され、体温データが無線で送信される婦人用体温測定装置に関する。
【背景技術】
【０００２】
婦人用電子体温計は、体温測定部が本体に一体型に設けられたタイプ（特許文献１）、測定部と本体部を分離し、カールコードを介して電気信号を送受信するタイプ（特許文献２）がある。前者では、測定部は軽量化されているものの、測定時にカールコードにより、本体が引きずられるなど、測定時に負担感が少なからずあった。
【特許文献１】特公平４−２２５５号公報
【特許文献２】特許第２７４７２７１号公報
【発明の開示】
【発明が解決しようとする課題】
【０００３】
本発明の目的は、上記問題点に鑑みてなされたもので、被検者が負担感なく口中で体温測定できる婦人体温測定装置を提供することにある。
【課題を解決するための手段】
【０００４】
上記した課題を解決するために、本願発明の婦人用体温測定装置は、被検者の体温を測定するために温度測定部を有するＩＣタグを備え口中に含むようにタブレット状に形成した測温部と、中に挿入後、所定時間後に測定部で測定された体温情報を読取るＩＣタグ読み取り部と、体温の測定に付随する各種情報を入力する入力部と、前記体温測定部による測定値を記憶する記憶部と、前記記憶部により記憶されている測定値や、前記測定値及び各種情報から算出される排卵予定日，生理予定日，出産予定日等の予定日を表示するとともに、前記入力部により各種情報が入力されている場合にはどの各種情報が入力されているかを示し、各種情報あるいは予定日が表示されている場合にはどの情報あるいは予定日が表示されているかを示す表示部と、ＩＣタグ読み取り部と、を備える婦人用体温測定装置であって、前記ＩＣタグは、コンピュータで読取り可能な記憶媒体であるＲＡＭ、ＥＥＰＲＯＭ、温度変化に対してほぼリニアにアナログ出力し、小型化・ＩＣタグとの一体化が可能で、３５〜４２℃の間で温度分解能が０．０５℃であるＣ―ＭＯＳ温度センサを備え、１３．５６ＭＨｚの電磁波により前記ＩＣタグ読み取り部から前記被検者の体温情報を取得し、前記表示部に表示するようにし、前記被検者の体温は、閾値である上限値を３７．０℃、閾値である下限値を３５．５℃とし、前記上限値及び前記下限値は設定変更可能とし、異常と判断されるとアラームを発生するようにした0013ことを特徴とする。
【発明の効果】
【０００５】
本発明によれば、起床前において、被検者が毎朝負担感なく口中で体温測定できる婦人体温測定装置が得られる。
【発明を実施するための最良の形態】
【０００６】
図１は、本発明の一実施例の温度測定部を有するＩＣタグを含む測温部を示す横断面及びプロック図、図２は体温測定装置の外観図及びブロック図である。図３は、体温取得処理フローを示す図、図４は、表示例を示す図である。本発明は実施例に限定されるものでなく、また、測温部は、外部を断熱部材で囲包した貼付け型としてもよい。
【０００７】
図１において、１は、温度測定部を有するＩＣタグ１００を内部に内蔵し、液密にエラストマーなどで形成された測温部である。なお、測定中の誤飲を防止するために、外径１．５〜２．０ｃｍ、厚さ３．０〜５．０ｍｍ程度に形成されている。重量は、０．５〜１．０ｇｗ程度となっている。温度測定部を有するＩＣタグ１００は、エポキシ樹脂などの合成接着剤などで固定されている。
【０００８】
被検者（女性，婦人）Ｐは、本体５０から測温部１を取出し、口中に測温部１００を咥えて測定する。本体５０は、制御部（ＣＰＵ）１０、表示部１１、外部通信部１２、ＩＣタグ読取り部１３、入力部１４、記憶部１５、時計部１６、処理フロー等を記憶し、コンピュータで読取り可能なプログラムを記憶しているＲＡＭ１７，ＲＯＭ１８等を含む。本体５０と管理サイト／医療サイトや会員制のサービスサイト（不図示）とは、外部通信部１２、情報通信ネットワーク（不図示）を介して、相互に情報が伝送できるようになっている。また、時計部１６は電波受信により時刻補正ができる、電波時計機能を設けておくと時刻調整の必要がなくなり都合がよい。
【０００９】
入力部１４は、投薬（処方）情報、婦人が使用する場合にあっては月経などの生理情報もメモ入力として入力可能になっている。ＩＣタグ読み取り部１３は、被験者（婦人）が口中に咥えてから所定時間後、例えば５分後、１３．５６ＭＨｚの電磁波を発生させて、体温情報を読取る。なお、測定終了は、本体（ケース）１から測温部１００を取出した時にその旨を検出し、それを基点として時計１６で経過時間（分）を検出するようにするとよい。
【００１０】
＜ＩＣタグの構成＞  
図１において、１０１は、ＩＣタグ読み取り部１３からの信号を受け、ロジック部１１０を所定のフローで動作させるプログラムが記憶され、コンピュータで読取り可能な記憶媒体であるＲＡＭである。１０２はＥＥＰＲＯＭで、温度センサ１０６のそれぞれに対応するオフセット値，温度補正値などが記憶されている。また、測定された体温情報、被検者Ｐの情報等も記憶可能である。なお、ロジック部１１０は、より複雑な処理フローの制御が可能なＣＰＵとしてもよい。
【００１１】
温度センサ１０６としては、温度変化に対してほぼリニアにアナログ出力し、小型化・ＩＣタグとの一体化が可能で、３２〜４２℃の間で温度分解能が０．１〜０．０５℃である、半導体型の温度センサ、例えばＣ−ＭＯＳ温度センサが好ましく用いられるが、サーミスタ型、サーモパイル（熱電対）型でも可能である。なお、婦人用体温計として用いる場合、３５〜３８℃の間で温度分解能が０．０５℃である、半導体型の温度センサ、例えばＣ−ＭＯＳ温度センサが好ましく用いられるが、サーミスタ型、サーモパイル（熱電対）型でも可能である。１０３は、被検者Ｐに設けられた温度測定部を有するＩＣタグ（ＲＦＩＤ）１００の体温情報を取得するための送受信回路、１０３ａはアンテナ、１０４は電源部である。この電源部１０４は、コイルを有するアンテナ部１０３ａを介して、体温情報を読取られる時に温度測定部を有するＩＣタグ１００の各部に電源を供給する。１０７はＡ／Ｄ変換部であり、温度センサ１０６と発振回路（不図示）で発生した体温信号をＡ／Ｄ変換するものである。
【００１２】
ＩＣタグ１００は、アンテナ１０３ａを含めて５ｍｍ×５ｍｍ、厚さ１．５ｍｍ程度の大きさである。なお、ＩＣタグ１００は、生体を通過可能な周波数の電磁波での通信（送受信）可能なものであれば、どのような周波数でもよいが、好ましくは１３．５６ＭＨｚの電磁波で送信可能になっている。また、間違った被検者Ｐの情報を取得しないようにしたり、アンテナ１０３ａから出力される信号を暗号化処理可能にしてセキュリティ機能を持たせることができる。
【００１３】
＜体温情報取得の処理フロー＞
被検者Ｐが本体５０から測温部１を取出した時で測定開始の時間のカウントを開始するか、入力部１４などで測定開始指示入力を行なうことにより、測定を開始する。体温情報は、入力部１４で予めで設定入力された時間条件、例えば測温部１を本体５０から取出した時や測定開始指示入力を行なった時点、所定の温度上昇が確認できた時点等を基点として、例えば５分後にＩＣタグ１００に対してＩＣタグ読取り部１３から１３．５６ＭＨｚまたは８６０〜９６０ＭＨｚ（ＵＨＦ帯）の電磁波を送信（送受信距離は、１０ｃｍ〜１ｍ程度）し、その信号と同期して得られる温度センサ１０６の体温情報を読取る（ステップＳ１）。これらの体温情報は、記憶部１５に記憶される(ステップＳ２)。この体温情報は閾値と比較される(ステップＳ３)。例えば、体温の場合、ディフォルト値として上限値が３７．０℃、下限値が３５．５℃としている。この上限値、下限値は、被検者Ｐに応じて、設定変更可能としてもよい。体温情報が異常（測定中の異常も含む）と判断されると、アラームを発生させる（ステップＳ４）。測定終了するとブザー，バイブレータ，光などで報知する（ステップＳ５）。異常がある場合（例えば発熱時の基礎体温）は「発熱」と表示部１１に表示させ、入力部１４でその旨のメモ入力し、記憶部１５に記憶させる。異常の場合、必要に応じてリセットし(ステップＳ６) 、ステップＳ１に戻り、再度体温測定を行なう。異常が無い場合は、測定された体温を記憶し、体温測定を終了する。
【００１４】
記憶部１５に記憶された、体温，メモ入力等の情報は、図４に示すように表示部１１にトレンド表示される。このような情報は、被検者ＰのＩＤとともに、健康関連サービス業者のサーバーや主治医などの医療サイトのサーバーへ暗号化してインターネット，専用ＬＡＮ等により送信し、必要に応じて主治医のコメント等のアドバイスを受けるようにすることができる。
【００１５】
＜婦人体温計の動作・機能＞
以下、婦人体温計の動作・機能を詳述する。
(1) 測定モード
電源スイッチ２０をオンにしたときや、取り消しキー２１によりリセットされたときは測定モードに入る。この測定モードでは、初期状態で時計１６により示される現在日の測定値を表示する。また、体温表示・移動キー２２の＋キーあるいは−キーの操作により、指定された日の測定値とともに、その日のデータとして設定されたメモ項目に対応するメモ表示バー（不図示）が表示される。また、この測定モードでは温度センサ１０６からの測定値を監視しており、次の測定開始条件が満たされれば体温測定を開始する（なお、この測定開始条件に限定されるものではない）。
測定開始条件：
測定モードにおいて、被検者Ｐが測温部１を口中に咥えると、測温部１は、口中で温めはじめられる。口中に咥えた後、初めは、例えば１０秒ごとに、読取りのための読取り信号として、電磁波（１３．５６Ｍｚ）をＩＣタグ読取り部から発生させ、温度データをサンプリングしている。本婦人用体温測定装置では、サンプルデータが３０℃を越えてかつ温度上昇率が０．２５℃／４秒（移動平均値）以上になれば、その時点を起点として体温の測定を開始する。
【００１６】
測定を開始すると所定サンプリング周期（例えば１０秒）ごとに温度センサ１０６により検知され、Ａ／Ｄ変換された温度をサンプリングし、そのサンプルデータをもとに所定の方法で体温を測定する。ここでは測定にピークホールド方式を用いる。ピークホールド方式では、温度を定期的にサンプリングしてそれらサンプリングされた温度のうち最高値を記憶部１５に保持する。サンプルデータの上昇率が所定の値、例えば０．０１９℃／１６秒以下になった時点で測定を終了し、その時点で得られた最高値を測定値として、ＣＰＵ１０により記憶部１５に記憶させる（あるいは、測定開始から所定時間、例えば５分経過後に測定終了してもよい。）。また、測定に用いるサンプルデータは温度センサ１０６からの計測値をそのまま用いず、ある時点におけるサンプルデータとして、そのデータそのものとその前後合わせて３つのサンプルデータの算術加算平均を求め、それをその時点のサンプルデータとして用いる。こうすることでサンプリングごとのばらつきを抑えてより正確に測定を行うことができる。こうして一回の測定を終えると、その旨の報知が、報知部によりブザー，バイブレータ，光で報知されるとともに、ＣＰＵ１０により記憶部１５から測定値が読み出されて表示部１１に表示される。異常と判断された場合で、発熱が認められる時には、「発熱」している旨を入力部１４でメモ入力する。こうすることで、高温期の体温との弁別が可能となる。
【００１７】
（2）メモモード
測定モードにおいて、入力部１４としてのキーパネルを構成するメモキーが押されると、メモモードに遷移する。このモードに入ると、測定モードで設定された日付について、生理メモ，発熱メモ，生理痛，おりもの，性交等、６項目の生理事項に関するメモが入力できる。メモキーが押されるごとに設定する項目が順次移行する。その際、現在設定対象となっている項目に対応するメモ表示バーを点滅表示する。被検者Ｐはその点滅表示を見て、設定される項目を知ることができる。各項目において確定キーが押されると、そのメモ項目が設定されたことを記憶し、その項目に対応するメモ表示バーを表示して測定モードに戻る。また、どの項目も確定されず、６回目のメモキーが押された場合にも測定モードに戻る。このようにして設定されたメモ項目は、測定モードにおいて指定された日付ごとに読み出され、設定されている項目に対応するメモ表示バーが表示される。
【００１８】
（3）推定日表示モード
測定モードにおいて機能キー２３が押されると、推定日表示モードに遷移する。このモードに入ると、既に計算され記憶された各種データから、まず次回排卵日が表示される。このモードで表示される項目は全部で３項目あり、機能キーが押されるごと表示される項目が次回生理日，出産予定日と移行し、３回目の機能キーで測定モードに戻る。
【００１９】
（4）データ処理モード
このモードは、データ処理を実行するモードである。このモードでは、電源スイッチ２０がオフにされたとき、あるいは、目覚ましアラームの設定時刻から５時間経過した後に移行する。ただし、データ処理は１日に１回に行われるだけであり、１日に２回以上このモードに移った場合には、２回目以降ではデータ処理は行われず、直ちに処理終了となって停止モードに移行する。
【００２０】
本実施例のモードは、以上のモードである。なお、各モードにおいて取り消しキーが押されると測定モードに戻る。また、測定モード以外の各モードにおいては、キー入力がないまま経過する時間を測定しており、所定時間経過すると取り消しキーが押された場合と同じ状態に戻る。測定モードにおいて同様に所定時間が経過すると、自動的に停止モードに移る。また、測定モードから各モードに遷移するためのキー入力は、誤入力を防止するために、所定時間押し続けられた場合に入力されたものとみなされる。
【００２１】
＜データ処理の内容＞
データ処理モードでは、蓄積した測定値を用いて生理初日を判定し、生理初日がそれまでの日付から更新されたなら、更新前の生理初日から更新された生理初日の前日までの、最新の月経周期について、その平均高温相期間，平均低温相期間を求めるほか、それまで蓄積された過去の月経周期についてのデータを用いて、平均月経周期や基準体温を計算する。さらに、測定が行われた当日（以下、本日と呼ぶ）が高温相か低温相か判定して排卵日を検出し、平均体温を算出する。最後に、これらのデータを用いて、次回生理日，次回排卵日，出産予定日を予測する。
【００２２】
本婦人用体温測定装置は、ある月経周期の中にいるときに、次回の排卵日および生理日を高精度に予測（推定）するとともに、測定結果から妊娠と判定されれば出産予定日も予測（推定）することが可能となっている。
【００２３】
（１）計算タイミング
演算処理は、電源スイッチ２０のオフ時、または目覚ましアラーム設定時間経過５時間後にデータ処理モードに移行し、１日１回行われる。２回目以降は何も行われずに処理は終了する。なお、目覚まし時間の初期値は、午前６時ちょうどに設定されているものとする。次に、各ステップにおける処理をより詳しく説明する。
【００２４】
（２）生理初日判断
・生理メモ入力が所定日数以上、例えば３日以上連続した場合、生理メモ入力の初日を生理初日と判定する。所定日数未満、例えば３日未満の場合は生理誤認とする。
・生理メモがなく低温相が開始された場合、低温相の開始日を生理初日とする。ただし、高温相が開始される前に生理メモが入力された場合、生理初日を訂正する。
【００２５】
（３）平均月経周期（非表示）
・生理初日から次回生理初日の前日までが１月経周期となる。
・平均月経周期は生理初日確定後に計算し、次回生理初日確定まで計算結果は保持される。
・平均月経周期は、最近所定回（６回）分の月経周期から最長周期と最短周期を除いた所定回（４回分）の月経周期を平均して得られる。
・平均される所定回（４回）分の月経周期の内、所定回（３回）分以上有効月経周期（後述）があれば、計算した平均月経周期は有効とする。
・測定開始以来所定周期分、例えば６周期分のデータが得られていない場合には、暫定処置として、所定回数、例えば３回分以上の有効月経周期があればその平均を平均月経周期とする。
・測定開始以来所定周期分、例えば６周期分のデータが得られていない場合には、暫定処置として、所定回数、例えば３回分以上の有効月経周期があればその平均を平均月経周期とする。
【００２６】
（４）平均高温相期間（非表示）
・平均高温相期間は生理初日確定後に計算され、次回生理初日確定まで計算結果が保持される。
・平均高温相期間は、最近所定回分、例えば６回分の高温相期間から最長期間と最短期間を除いた所定回分、例えば４回分の高温相期間を平均して得られる。
・平均される所定回分、例えば４回分の高温相期間の内、所定回分、例えば３回分以上有効高温相期間（後述）があれば、計算した平均高温相期間は有効である。
・高温相期間は、所定日数、例えば１２日以上１６日以下を有効とする。有効外の高温相期間は計算から除外する。
【００２７】
（５）平均低温相期間（非表示）
・平均低温相期間は、最近所定回分、例えば６回分の低温相期間から最長期間と最短期間を除いた所定回分、例えば４回分の低温相期間を平均して得られる。
・平均される所定回分、例えば４回分の低温相期間の内、所定回分、例えば３回分以上有効低温相期間（後述）があれば、計算した平均低温相期間は有効である。
・低温相期間は、所定日数、例えば５日以上３０日以下を有効とする。有効外の低温相期間は計算から除外する。また、最近所定月経周期、例えば６月経周期の中に有効低温相期間が所定数（３つ）以上ない場合や、計算の結果、平均低温相期間が有効外の場合、平均低温相期間データはないものとする。
【００２８】
（６）次回生理日予定（表示）
・次回生理日は、所定回分、例えば４回目の生理初日が確定した以降、平均月経周期、平均高温相期間の計算が終了後計算する。
・次回生理日は、所定期間、例えば３日乃至７日間の期間（××月××日〜××月××日）として算出（推定）する。
・本計算処理を行っている当日が低温相（後述の相判定により判定）の場合
次回生理日＝最近の生理初日＋平均月経周期−可能期間〜最近の生理初日＋平均月経周期＋可能期間
とする。ただし、可能期間は、平均月経周期の計算に使用した月経周期の分布を正規分布として１．５σ相当／２とする。なお、可能期間は日単位、小数点第１位で四捨五入とする。・本計算処理を行っている当日が高温相（後述の相判定により判定）の場合
次回生理日＝最近の排卵日＋平均高温相周期−可能期間〜最近の排卵日＋平均高温相周期＋可能期間
とする。ただし、可能期間は、平均高温相期間の計算に使用した高温相期間の分布を正規分布として１．５σ相当／２とする。なお、可能期間は日単位、小数点第１位で四捨五入とする。
【００２９】
このようにして推定された次回生理日を表示部１１に表示する際には、表示当日の条件に応じて次のように表示制御される。
・表示当日が次回生理日の期間に含まれない場合、計算された次回生理日をそのまま表示する。
・表示当日が計算された次回生理日の期間に入っており、その期間の最後の日から所定日数前、例えば３日前までの場合、表示される期間は、表示当日の日付〜次回生理日の期間の最後の日とする。すなわち、表示当日〜最近の生理初日＋平均月経周期＋可能期間、あるいは表示当日の日付〜最近の排卵日＋平均高温相期間＋可能期間となる。
・表示当日が次回生理日の最終日−３日以降の場合、生理初日まで、表示は、表示当日の日付〜表示当日の日付＋３日とする。
・計算の結果、次回生理日が所定日数、例えば８日間以上の期間にわたる場合、表示は「−−月−−日〜−−月−−日」とする。
・表示当日が高温相で、排卵日からの日数が所定日数、例えば１７日以上の場合、表示は「−−月−−日〜−−月−−日」とする。
・平均月経周期または平均高温相期間が確定していない場合、表示は「−−月−−日〜−−月−−日」とする。
【００３０】
（７）基準体温（非表示）
基準体温は、基準体温＝(過去所定回分（例えば３回分）の高温相平均体温＋過去所定回分（例えば３回分）の低温相平均体温)／２として求められる。ただし、高温相平均体温および低温相平均体温は平均体温により得られる。
【００３１】
（８）平均体温（非表示）
平均体温としては、高温相平均体温と低温相平均体温のそれぞれを、初回の生理初日確定以降計算する。
・高温相平均体温は、高温相開始から所定日目、例えば３日目の体温を初期値として、低温相開始の所定日前、例えば３日前までの体温で平均体温を計算する。
低温相平均体温は、低温相開始から所定日目、例えば３日目の体温を初期値として、高温相開始の所定日前、例えば３日前までの体温で平均体温を計算する。
【００３２】
（９）相判定（非表示）
測定当日の相を判定する。・当日体温≧基準体温の場合、高体温とする。
・当日体温＜基準体温の場合、低体温とする。
・相判定は記録開始から最初に低温相が確認されてから所定日毎、例えば１日毎に判定する。
・当日で低体温が所定日数、例えば３日連続した場合は当日から所定日数、例えば２日遡って低温相開始とする。または生理初日が確定した時点で、生理開始日から低温相開始とする。
当日で高体温が所定日数、例えば３日連続した場合は当日から所定日数、例えば２日遡って高温相開始とする。ただし、連続した所定日数内、例えば３日内に発熱メモ入力がある場合または体温が３７．５℃以上の場合は、その測定結果は計算から除外する。
【００３３】
（１０）排卵日検出（非表示）
・排卵日は、相判定において高温相の開始日が更新された後に計算する。
・排卵日は低温相の最後の日なので、相判定後、下式で求められる。
排卵日＝高温相開始日−１
【００３４】
（１１）次回排卵日予定（表示）
次回排卵日は、所定回数目、例えば４回目の生理初日が確定した以降、平均月経周期、平均低温相期間の計算の終了後に計算（推）する。なお区間ａ〜ｄにおいては計算できないために「−−月−−日〜−−月−−日」とする。
・次回排卵日は所定期間、例えば３〜７日間の期間（××月××日〜××月××日）として表示する。
・当日が低温相の場合、
次回排卵日＝最近の生理初日＋平均低温相周期−可能期間〜最近の生理初日＋平均低温相周期＋可能期間
とする。ただし、可能期間は、平均低温相期間の計算に使用した低温相期間の分布を正規分布として１．５σ相当／２とする。なお、可能期間は日単位、小数点第１位で四捨五入である。
・当日が高温相の場合、
次回排卵日＝最近の排卵日＋平均月経周期−可能期間〜最近の排卵日＋平均月経周期＋可能期間
とする。ただし、可能期間は、平均月経周期の計算に使用した月経周期の分布を正規分布として１．５σ相当／２とする。なお、可能期間は日単位、小数点第１位で四捨五入である。
【００３５】
このようにして推定された次回排卵日を表示する際には、表示当日の条件に応じて次のように表示制御される。
・表示当日が次回排卵日の期間に含まれない場合、計算された次回排卵日をそのまま表示する。
・当日が計算された次回排卵日の期間に入っており、その期間の最後の日から所定日前、例えば３日前までの場合、表示される期間は、表示当日の日付〜次回排卵日の期間の最後の日とする。すなわち、表示当日〜最近の生理初日＋平均低温相期間＋可能期間、あるいは表示当日の日付〜最近の排卵日＋平均月経周期＋可能期間となる。
・表示当日が次回排卵日の最終日−３日以降の場合、排卵日まで、表示は、表示当日の日付〜表示当日の日付＋３日とする。
・計算の結果、次回排卵日が所定日数、例えば８日間以上の場合、表示は「−−月−−日〜−−月−−日」とする。
・当日が高温相で、排卵からの日数が所定日数、例えば１７日以上の場合、表示は「−−月−−日〜−−月−−日」とする。
・平均月経周期または平均低温相期間が確定していない場合、表示は「−−月−−日〜−−月−−日」とする。
【００３６】
（１２）出産予定日予測（表示）
最後の排卵日からの日数が所定日数、例えば２０日をこえ、当日（最新測定体温）が高体温の場合、下式で推定する。
出産予定日＝排卵日＋２６５日
・出産予定日が求められていない場合、その表示は「−−月−−日〜−−月−−日」とする。
【００３７】
（１３）測定体温の欠落データ（取り忘れ）後処理
基礎体温は原則として毎日測定されるべきものであるが、もし測定し忘れなどでデータが欠落している場合には、内部データとして、欠落日前後の測定体温から計算で求める。ただし、欠落したデータの表示は行わない、欠落日の体温表示は「−−．−−℃」となる。欠落したデータは、欠落の直前の測定値と直後の測定値とを、線形に補間するように補填される。すなわち、次の例のようになる。・測定体温データ欠落が１日分（第Ｎ日）の場合、第Ｎ−１日の測定値がａ、第Ｎ＋１日の測定値がｂとすれば、
日付｜Ｎ−１日｜Ｎ日｜Ｎ＋１日
体温｜ａ｜ａ＋（ｂ−ａ）／２｜ｂ
・測定体温データ欠落が２日分（第Ｎ日、第Ｎ＋１日）の場合、
日付｜Ｎ−１日｜Ｎ日｜Ｎ＋１日｜Ｎ＋２日
体温｜ａ｜ａ＋（ｂ−ａ）／３｜ａ＋２（ｂ−ａ）／３｜ｂ
同様に測定体温データの欠落がｍ日にわたる場合、欠落前日体温をａ、欠落後の体温をｂとして、欠落ｎ日目の体温＝ａ＋ｎ（ｂ−ａ）／（ｍ＋１）
測定体温欠落データの連続日数ｍは所定日数、例えば８日まで許容する。その所定日数、例えば８日をこえる欠落があった場合、最近の生理日に遡り、体温データを無効とする。
・測定体温の有効データが、月経周期内の日数の所定比率以上、例えば５０％以上の場合、その月経周期内のデータを有効とする。所定比率未満、例えば５０％未満の場合、その月経周期内のデータを無効とする。
【００３８】
＜データ処理の内容＞
データ処理モードでは、蓄積した測定値を用いて生理初日を判定し、生理初日がそれまでの日付から更新されたなら、更新前の生理初日から更新された生理初日の前日までの、最新の月経周期について、その平均高温相期間，平均低温相期間を求めるほか、それまで蓄積された過去の月経周期についてのデータを用いて、平均月経周期や基準体温を計算する。さらに、測定が行われた当日（以下、本日と呼ぶ）が高温相か低温相か判定して排卵日を検出し、平均体温を算出する。最後に、これらのデータを用いて、次回生理日，次回排卵日，出産予定日を予測する。
【００３９】
＜生理初日判断・訂正処理＞
・生理メモ入力が所定日数以上、例えば３日以上連続した場合、生理メモ入力の初日を生理初日と判定する。所定日数未満、例えば３日未満の場合は生理誤認とする。
・生理メモが無く低温相が開始された場合、低温相の開始日を生理初日とする。ただし、高温相が開始される前に生理メモが入力された場合、生理初日を訂正する。
【図面の簡単な説明】
【００４０】
【図１】本発明の測温部の一実施例を示す断面図及びブロック図である。
【図２】本発明の実施例に係るブロック図である。
【図３】本発明の実施例に係る生体情報の取得処理フローを示す図である。
【図４】本発明の実施例に係る表示例を示す図である。
【符号の説明】
【００４１】
１・・・測温部、５０・・・端末装置、Ｐ・・・被験者、１０・・・ＣＰＵ、１１・・・表示部、２０・・・電源スイッチ、２１・・・取り消しスイッチ、２２・・・体温移動スイッチ、２３・・・機能スイッチ、５０・・・端末装置、１００・・・ＩＣタグ、１０１・・・ＲＡＭ、１０２・・・ＥＥＰＲＯＭ、１０６・・・温度センサ
【図１】
0004847740.tif 000002
【図２】
0004847740.tif 000003
【図３】
0004847740.tif 000004
【図４】
0004847740.tif 000005